(57)【要約】【課題】感熱式プリンタで印刷されたプリントがオペレータの介入なしにシステムに即座に引き込まれる程度までかつシステムが内蔵トリマと完成・切断後にアルバムを排出するユニットを備える程度まで全自動のアルバム製作システムを提供する。【解決手段】中間およびカバーシートから構成される綴じアルバムを自動製作するシステムは、プリンタ出力されたシートを即座に引き込むユニットと、シートに折り目を付けるユニットと、シートを貼り合わせる接着剤塗布ユニット(22,23,24,34,35)と、カバーシートの一部を折り返すユニット(53,54)を備える。シートは、送りボード(55)上に受けられコンパイルされ、その位置合わせ機能部は、送りボード上に受けられコンパイルされるシートのために送りボードに備えられ、ボードは、シートがシステム内部に搬送される方向に対して平行な方向に並進移動可能であり、接着剤塗布ユニットと同期して複数の位置の間で移動できる。【選択図】図４
2010012780.tif 000002
【特許請求の範囲】
【請求項１】
個別のシート、すなわち中間シート(50)およびカバーシート(52)のそれぞれから構成される綴じアルバムを自動的に製作するためのシステムであって、
プリンタ(3)またはスタッカによって出力されたシート(50,52)を即座に引き込むユニットと、
前記シート(50,52)の折りたたみを容易にし、前記シートを折りたたまれた形態に保持するのを容易にするために、前記シート(50,52)に折り目を付けるためのユニット(60〜65)と、
少なくともいくつかの前記シートを2つごとに貼り合わせるように設計された接着剤塗布ユニット(22,23,24,34,35,70〜75)と、
前記カバーシート(52)の一部を折り返すためのユニット(53,54,57)と、
を備え、前記シートは、位置合わせ機能部(80)を備えた送りボード(55)の上に受けられコンパイルされ、この位置合わせ機能部(80)は、送りボード(55)の上に受けられコンパイルされる前記シートのために送りボード(55)に備えられ、前記ボードは、前記シートがこのシステムの内部に搬送される方向に対して実質的に平行な方向に並進移動することが可能であり、前記接着剤塗布ユニットと同期して複数の位置の間で移動することが可能となっていることを特徴とするシステム。
【請求項２】
前記カバーシートを折り返すための前記ユニットは、実質的に湾曲したアーム(53)を備え、このアーム(53)は、前記システムのハウジング上に連結され(54)、少なくとも2つの極限位置のそれぞれ、すなわち前記カバーシート(52)の上流パートを受けるのに適した下方位置または最下位置と、特に他の中間シート(50)の上に前記カバーシートの前記上流パートを折りたたませるように意図された上方位置または最上位置とのそれぞれの間で移動するように設計され、前記連結されたアームは、モータカム(56)により前記2つの極限位置の間で移動され、前記連結されたアームのヒンジピン(54)の対向側の前記連結されたアームの端部が、前記システムの内部に前記シートを搬送するローラのいくつかと協働することが可能なアイドラローラ(57)を有することを特徴とする、請求項1に記載の個別のシートから構成される綴じアルバムを自動的に製作するためのシステム。
【請求項３】
前記送りボード(55)は、歯またはリミット停止装置(80)を備え、これらの歯またはリミット停止装置(80)は、前記位置合わせ機能部を構成し、シートを上に受ける平面に対して突出し、シートの自由端部が、コンパイルおよびスタックの基準を与えるために、これらの歯またはリミット停止装置(80)に接触するように置かれ、前記歯またはリミット停止装置は、アーム(81)の上に取り付けられ、このアーム(81)は、前記ボードの下方で連結され(82)、各端部にカム(83、84)を備え、前記カムは、前記ボードに関連付けされたカム経路(85)と協働し、前記カム経路(85)に対して自由に並進移動することが可能であり、それにより、前記ボードの上の前記歯またはリミット停止装置の引き戻り、または逆にそれらの突き出しが引き起こされるようになっていることを特徴とする、請求項1または請求項2に記載の個別のシートから構成される綴じアルバムを自動的に製作するためのシステム。
【請求項４】
アルバムの製作後に前記アルバムを構成するシートの自由端部のきれいな切断を保証するように設計されたトリマ(38)をさらに備え、前記アルバムは、前記トリマの動作区域のレベルで前記送りボード(55)によって移送されるようになっていることを特徴とする、請求項1から請求項3のいずれか1項に記載の個別のシートから構成される綴じアルバムを自動的に製作するためのシステム。
【請求項５】
前記送りボード(55)は、高さ調節可能ガイドレール(90)の上に設けられ、これら高さ調節可能ガイドレール(90)は、この目的で横材(91)に取り付けられ、これら横材(91)は、前記システムの前記ハウジング上に連結され、それにより、アルバムが含むシート数にかかわらず、製作されつつあり前記ボードの上に置かれつつある前記アルバムの上方のシートの高さを実質的に一定に保つようにし、前記レールは、弾性復帰機構(92)を備え、この弾性復帰機構(92)は、アルバムが含むシート数にかかわらず、製作されつつあり前記ボードの上に置かれつつある前記アルバムの上方のシートの高さを実質的に一定に保つようにする目的で前記レールに備えられ、この弾性復帰機構(92)は、前記ハウジングに連結され、少なくとも1つの押さえロール(28,32)から構成される前記リミット停止装置に対して前記ボードを引き戻させることを特徴とする、請求項1から請求項4のいずれか1項に記載の個別のシートから構成される綴じアルバムを自動的に製作するためのシステム。
【請求項６】
バックストップ(86)を備え、このバックストップ(86)は、カムによって作動され、アルバムの完成後に、前記アルバムが前記送りボード(55)の上に依然として位置している際に、前記アルバムと協働して、それにより、第1に、前記トリマ(38)の方向に前記ボードから部分的に離れるように前記アルバムを移動させ、前記トリマの動作を可能にするようにし、第2に、この動作後に、前記送りボード(55)から前記アルバムを移動させ、重力のみにより受容部(5)内に前記アルバムを落下させるようにすることが可能であり、この受容部(5)は、その中に前記アルバムを落下させる目的で設けられることを特徴とする、請求項5に記載の個別のシートから構成される綴じアルバムを自動的に製作するためのシステム。
【請求項７】
前記折り目付けユニットは、パンチ(61)およびダイ(60)を備え、前記シートは、実際の折り目付けステップ自体の間を除き、このパンチ(61)とダイ(60)との間を1つずつ進むことが可能であり、前記パンチ(61)は、カムによって移動される連結されたアーム(62)の端部の上に取り付けられることを特徴とする、請求項1から請求項6のいずれか1項に記載の個別のシートから構成される綴じアルバムを自動的に製作するためのシステム。
【請求項８】
前記ダイ(60)は、可動圧力パッドを備え、この可動圧力パッドは、前記パンチの動作により前記シート本体中に形成された前記シートの折り目の追出しの容易化、および、当該の前記シートが再び移動し始める際の、前記ダイのスリットの端部への前記シートの引っ掛かりの防止に適していることを特徴とする、請求項7に記載の個別のシートから構成される綴じアルバムを自動的に製作するためのシステム。
【請求項９】
転移接着剤のフィルム(36)に覆われた裏材用の保管スプール(34)と、
前記転移接着剤を付着させた後の前記裏材のみのための保管スプール(35)と、
接着剤フィルムを備えた前記裏材の巻出しを保証する、2方向に回転可能な専用モータ(70)により駆動される接着剤モータローラ(22)と、
糊付けすべきシートまたはシートの一部と接触状態になるように設計され、前記接着剤モータローラ(22)と噛み合うことにより前記接着剤モータローラ(22)と協働し、レバー(71)の端部で回転可能に、すなわち1方向のみに自由に回転可能となるように取り付けられる糊付けローラ(24)であって、前記レバー(71)は、前記システムの前記ハウジング上に連結され、前記ハウジングに装着されたばね(73)により接着剤塗布実施位置に保持される、糊付けローラ(24)と、
実際の糊付け局面の際に前記糊付けローラ(24)の動作と相互作用する糊付け接触ローラ(23)と、
を前記接着剤塗布ユニットが備えることを特徴とする、請求項1から請求項8のいずれか1項に記載の個別のシートから構成される綴じアルバムを自動的に製作するためのシステム。
【請求項１０】
前記接着剤塗布ユニットは、ハンドル(74)をさらに備え、このハンドル(74)は、前記レバー(71)に連結され、種々のローラ(22,23,24)から構成される実糊付け構成要素を少なくとも部分的に引き戻させることが可能であり、それにより、特に、このユニットに必要なメンテナンス作業の実施が可能になることを特徴とする、請求項9に記載の個別のシートから構成される綴じアルバムを自動的に製作するためのシステム。
【発明の詳細な説明】
【技術分野】
【０００１】
本発明は、相互に取り付けられかつ綴じ部を形成するために一方の端部を連結された複数のシートを備えるアルバム、特にフォトアルバムの、自動製作、すなわちオペレータまたはユーザによる介入の全くない製作を可能にするように設計されたシステムに関する。
【０００２】
本発明の主要な目的は、ユーザが、感熱式プリンタを使用して、デジタル写真撮影により作成された個々のネガを印刷し、対応するフォトアルバムを即座に製作することを可能にすることである。
【背景技術】
【０００３】
現行においては、および通常は、ユーザが、特定の主題または出来事にもとづいて写真(それらがアナログ由来のものかデジタル由来のものかにかかわらず)の編纂を行うことを欲する場合には、ヒンジにより共に組み合わされた複数の剛性シートを備える従来式のアルバムに、当該の写真を貼付するまたは差し込むという選択肢がユーザにはある。各シートには、ユーザの希望に即して写真を配置するために使用される、プラスチックフィルムから構成される透明のフラップが付属している。このタイプのアルバムは、重くかさばり、したがって、当該の写真の各テーマごとになっているアルバムを大量に所有することが不可能になる。
【０００４】
デジタル写真の有用性の非常な高まりにより、特に厚さ、すなわちプリントの枚数に応じた厚さについて適切な寸法の、主題ベースのアルバムに対するユーザによる需要がますます高まりつつある。
【０００５】
このようなアルバムの製作を既により容易なものとした半自動デバイスが、特許文献1において説明されている。基本的には、このデバイスは、
・シートを所望のフォーマットに構成するためのシート折りたたみ用ユニットと、
・シートの折りたたみを容易にし、前記シートを折りたたまれた形態に保つのを容易にするための、前記シートの折り目付け用ユニットと、
・折りたたみの後に少なくともいくつかのシートを2つごとに貼り合わせるように設計された接着剤塗布ユニットと、
・折り目を付けられたシートを受け、前記シートをコンパイルしてアルバムを製作するための送りボードであって、デバイス内部に前記シートが搬送される方向に対して平行に並進移動することが可能であり、折りたたみ用ユニットの動作と同期して複数の位置の間で移動することが可能な送りボードと、を備える。
【０００６】
このデバイスでは、フォトアルバム、特にデジタル写真の製作において著しい進歩が見られることについては否定の余地はないが、このデバイスは、以下の欠点を有する。
【０００７】
第一に、個々のシートは、コンパイルの際には完全には位置合わせされないため、アルバムの製作後に、トリマを用いてアルバムを仕上げる前に、オペレータが、アルバムをボードから拾い上げなければならない。これは、オペレータの介入のない、複数のアルバムの連続的な自動製作の妨げとなる。
【０００８】
また、使用される接着剤塗布ユニットは、前述のデバイスから引き戻すことが可能であるが、その設計により取扱いが比較的不便である。
【０００９】
さらに、このデバイスは、比較的かさばり、重く、これにより、複数の潜在的ユーザに対する問題が生じる。
【先行技術文献】
【特許文献】
【００１０】
【特許文献１】仏国特許発明第2 904 579号明細書
【発明の概要】
【発明が解決しようとする課題】
【００１１】
本発明の目的は、第1に例えば感熱式プリンタによって印刷されたプリントが、オペレータまたはユーザの介入なしにシステム自体に即座に引き込まれる程度まで、ならびに、前記システムが、内蔵されたトリマと、完成および切断後にアルバムを排出するユニットとを備える程度まで全自動の、このようなアルバムを製作するためのシステムを提案することである。
【課題を解決するための手段】
【００１２】
したがって、本発明は、個別のシート、すなわち中間シートおよびカバーシートのそれぞれから構成される綴じアルバムを自動的に製作するためのシステムに関する。このシステムは、
・感熱式プリンタもしくはインクジェットプリンタまたはスタッカによって出力されたシートを即座に引き込むユニットと、
・前記シートの折りたたみを容易にし、前記シートを折りたたまれた形態に保持するのを容易にするために、前記シートに折り目を付けるためのユニットと、
・少なくともいくつかのシートを2つごとに貼り合わせるように設計された接着剤塗布ユニットと、
・カバーシートの一部を折り返すためのユニットと、
を備え、前記シートは、位置合わせ機能部を備えた送りボードの上に受けられコンパイルされ、この位置合わせ機能部は、送りボードの上に受けられコンパイルされる前記シートのために送りボードに備えられ、前記ボードは、シートがこのシステムの内部に搬送される方向に対して実質的に平行な方向に並進移動することが可能であり、特に接着剤塗布ユニットと同期して複数の位置の間で移動することが可能である。
【００１３】
本発明によれば、カバーシートを折り返すためのユニットは、実質的に湾曲したアームを備え、このアームは、システムのハウジング上に連結され、少なくとも2つの極限位置のそれぞれ、すなわちカバーシートの上流パートを受けるのに適した下方位置または最下位置と、特に他の中間シートの上にカバーシートの上流パートを折りたたませるように意図された上方位置または最上位置とのそれぞれの間で移動するように設計される。この連結されたアームは、モータカムにより2つの極限位置の間で移動され、連結されたアームのヒンジピンの対向側の連結されたアームの端部が、システムの内部にシートを搬送するローラのいくつかと協働することが可能なアイドラローラを有する。
【００１４】
有利には、このシステムは、アルバムの製作後にアルバムを構成するシートの自由端部のきれいな切断を保証するように設計された内蔵トリマを備え、前記アルバムは、前記トリマの動作区域に送りボードによって移送される。これにより、危険な操作が不要となることによって安全性が高められる。
【００１５】
また、有利には、このシステムは、排出機構を備え、この排出機構により、トリマによる仕上げ後に、箱または受容部のレベルにてアルバムを排出するようになされ、ユーザは、この箱または受容部からアルバムを取り出すことが可能となる。
【００１６】
本発明によれば、折り目付けユニットは、パンチおよびダイを備え、シートは、実際の折り目付けステップ自体の間を除き、このパンチとダイとの間を1つずつ進むことが可能であり、前記パンチは、モータシャフトにより直接作動されるカムによって移動される、連結されたアームの端部の上に取り付けられ、ダイは、可動圧力パッドを備え、この可動圧力パッドは、パンチの動作によりシート本体中に形成されたシートの折り目の追出しの容易化、および、ダイの端部への前記シートの引っ掛かりの防止に適する。
【００１７】
本発明によれば、接着剤塗布ユニットは、
・転移接着剤のフィルムに覆われた裏材用の保管スプールと、
・転移接着剤を付着させた後の裏材のみのための保管スプールと、
・接着剤フィルムを備えた前記裏材の巻出しを保証する、2方向に回転可能な専用モータにより駆動される接着剤モータローラと、
・糊付けすべきシートまたはシートの一部と接触状態になるように設計され、接着剤モータローラと噛み合うことにより接着剤モータローラと協働し、レバーの端部で回転可能に、すなわち1方向のみに自由に回転可能となるように取り付けられる糊付けローラであって、このレバーは、ハウジング上に回動可能に連結され、システムのハウジングに装着されたばねにより接着剤塗布実施位置に保持される、糊付けローラと、
・実際の糊付け局面の際に糊付けローラの動作と相互作用する糊付け接触ローラと、を備える。
【００１８】
有利には、接着剤塗布ユニットは、ハンドルをさらに備え、このハンドルは、前記レバーに連結され、実糊付け構成要素の少なくとも部分的な引き戻しが可能となるように設計され、それにより、このユニットに必要な接着剤充填作業およびメンテナンス作業の実施が可能になる。
【００１９】
さらに、前記ボードは、高さ調節可能ガイドレールの上に設けられ、これら高さ調節可能ガイドレールは、この目的で横材に取り付けられ、これら横材は、システムのハウジング上に回動可能に連結され、それにより、アルバムが含むシート数にかかわらず、製作されつつあるアルバムの上方のシートの高さを実質的に一定に保つようにし、前記レールは、弾性復帰機構を備え、この弾性復帰機構は、アルバムが含むシート数にかかわらず、製作されつつあるアルバムの上方のシートの高さを実質的に一定に保つようにする目的でレールに備えられ、この弾性復帰機構は、ハウジングに連結され、少なくとも1つの押さえロールから構成されるリミット停止装置に対してボードを引き戻させる。
【００２０】
添付の図面を参照とすることにより、単に例として提示される以下の実施形態の説明から、本発明を実施し得る方法、その動作原理、および結果として得られる利点がより容易に理解されよう。
【図面の簡単な説明】
【００２１】
【図１】本発明による完全なシステム、すなわちシートを作成するための感熱式プリンタを含むシステムの、概略斜視図である。
【図２】同システムの概略矢状断面図である。
【図３】機能ユニットの主要な構成要素を示す簡略図である。
【図４】図3をより詳細に示す図である。
【図５】本発明による折り目付けユニットを示すための概略図である。
【図６ａ】本発明によるシステム内の接着剤塗布ユニットのいくつかの構成要素の概略図である。
【図６ｂ】本発明によるシステム内の接着剤塗布ユニットのいくつかの構成要素の概略図である。
【図６ｃ】本発明によるシステム内の接着剤塗布ユニットのいくつかの構成要素の概略図である。
【図７ａ】下方位置にある、本発明によるシステムによって製作されるアルバムのカバーを構成するシートの特別加工を可能にするように設計された連結されたアームの図である。
【図７ｂ】上方位置にある、本発明によるシステムによって製作されるアルバムのカバーを構成するシートの特別加工を可能にするように設計された連結されたアームの図である。
【図８】本発明の送りボード、およびこの送りボードが移動する様式を示す概略図である。
【図９ａ】先述の図面において説明されたボードの引き戻り可能な歯またはリミット停止装置の使用を概略的に示す図ある。
【図９ｂ】先述の図面において説明されたボードの引き戻り可能な歯またはリミット停止装置の使用を概略的に示す図ある。
【図１０ａ】本発明によるアルバムを構成する全てのシートについて共通する種々のステップを概略的に示す図である。
【図１０ｂ】本発明によるアルバムを構成する全てのシートについて共通する種々のステップを概略的に示す図である。
【図１０ｃ】本発明によるアルバムを構成するシートの全てについて共通する種々のステップを概略的に示す図である。
【図１０ｄ】本発明によるアルバムを構成するシートの全てについて共通する種々のステップを概略的に示す図である。
【図１１ａ】先述のステップの後にアルバムのカバーを構成するシートが経由する特別経路を概略的に示す図である。
【図１１ｂ】先述のステップの後にアルバムのカバーを構成するシートが経由する特別経路を概略的に示す図である。
【図１１ｃ】先述のステップの後にアルバムのカバーを構成するシートが経由する特別経路を概略的に示す図である。
【図１１ｄ】先述のステップの後にアルバムのカバーを構成するシートが経由する特別経路を概略的に示す図である。
【図１２ａ】図10aから図10dに図示される共通ステップの後に、カバーシートとは別に、アルバムのシートが経由する経路を概略的に示す図である。
【図１２ｂ】図10aから図10dに図示される共通ステップの後に、カバーシートとは別に、アルバムのシートが経由する経路を概略的に示す図である。
【図１２ｃ】図10aから図10dに図示される共通ステップの後に、カバーシートとは別に、アルバムのシートが経由する経路を概略的に示す図である。
【図１２ｄ】図10aから図10dに図示される共通ステップの後に、カバーシートとは別に、アルバムのシートが経由する経路を概略的に示す図である。
【図１２ｅ】図10aから図10dに図示される共通ステップの後に、カバーシートとは別に、アルバムのシートが経由する経路を概略的に示す図である。
【図１２ｆ】図10aから図10dに図示される共通ステップの後に、カバーシートとは別に、アルバムのシートが経由する経路を概略的に示す図である。
【図１３ａ】先述のステップの際に作成されたシートのスタックの上に、カバーの背が取り付けられる動作を概略的に示す図である。
【図１３ｂ】先述のステップの際に作成されたシートのスタックの上に、カバーの背が取り付けられる動作を概略的に示す図である。
【図１３ｃ】先述のステップの際に作成されたシートのスタックの上に、カバーの背が取り付けられる動作を概略的に示す図である。
【図１３ｄ】先述のステップの際に作成されたシートのスタックの上に、カバーの背が取り付けられる動作を概略的に示す図である。
【図１３ｅ】先述のステップの際に作成されたシートのスタックの上に、カバーの背が取り付けられる動作を概略的に示す図である。
【図１４ａ】本発明によるアルバムの仕上げに必要な種々のステップを示す図である。
【図１４ｂ】本発明によるアルバムの仕上げに必要な種々のステップを示す図である。
【図１４ｃ】本発明によるアルバムの仕上げに必要な種々のステップを示す図である。
【図１４ｄ】本発明によるアルバムの仕上げに必要な種々のステップを示す図である。
【図１４ｅ】本発明によるアルバムの仕上げに必要な種々のステップを示す図である。
【発明を実施するための形態】
【００２２】
本発明によるシステムの全体的な図が、図1および図2に示される。単一のハウジング1が、デジタル写真撮影により取得されたネガを印刷するように設計された感熱式プリンタ3(例えばSHINKO SHS-1245の名称で市販されている8"×12"フォーマットプリンタなど)をまず収容し、前記ネガが、アルバム作成ソフトウェアまたは任意の他のソフトウェアによって整理され、前記プリンタが、PC(図示せず)に接続され、単一のハウジング1がさらに、プリンタ3の下に、デジタルフォトアルバムを実際に製作することが可能な機能ユニット4を収容する限りにおいて、このシステムは非常にコンパクトである。
【００２３】
参照符号7は、プリンタから取得されるプリントの出力部を表し、次いで、前記プリントは、以下においてより詳細に説明されるように、機能ユニット4によって引き込まれる。
【００２４】
本発明の一変形形態(図示せず)においては、感熱式プリンタ3が、スタッカ、すなわち先に作成されたネガのスタックに置き換えられる、または、他のタイプのプリンタ、特にインクジェットプリンタに置き換えられる。
【００２５】
機能ユニット4の下には、機能ユニットによって製作されたアルバムの受容部5があり、また、受容部5の中に収容されたアルバム(または複数のアルバム)をユーザが取り出すことを可能にするアクセス部6が設けられる。
【００２６】
このアセンブリは、ハウジング1上に回動可能に連結されたドア2を介してアクセスすることが可能であり、したがって、システムメンテナンスの実施が可能となり、とりわけ、および有利には、それと共に、後でさらに詳細に説明されるように、プリンタ3用の消耗材および接着剤塗布ユニット用の消耗材を交換することが可能となる。システムがコンパクトであること、およびこのようなシステムを容易にメンテナンスすることが可能であることは、容易に認識される。
【００２７】
図3および図4は、実機能ユニット4をより詳細に図示する。特に図4において明らかなように、機能ユニット4は、様々な機能、特にプリンタ3によって出力されたシートの搬送、および逆圧機能(特に糊付け局面の際の)を遂行する多数のローラと、実際のアルバム自体の合着性および完全性を確実なものにするために使用される押さえロールとを備える。
【００２８】
ローラ11,15,17,19,26および30は全て、モータ駆動され、電気モータ31によって回転駆動される歯付きベルト39を介して作動される。
【００２９】
既述のように、またこのシステムは、押さえロール28,32および33をそれぞれ備え、これらは、後により詳細に説明されるように、アルバムを組み立てる際にアルバムに圧力を加えるように設計されたアイドラローラである。
【００３０】
図3および図4に図示されるローラ10,14,16,20,25,29は、アイドラローラである、または、それらが押え付けられた状態に保たれる相手のローラと単に噛み合う。ローラ27は、ガイドとして使用されるに過ぎず、アイドラローラである。また、接着剤塗布ユニット専用のローラ(22,23および24)が、後に具体的に説明される。
【００３１】
これらの個々のローラの外周面は、それらが糊付けされていないシートに接着するように意図されるか、または対照的に、それらが糊付けされたシートと接触状態になる際のあらゆる類いの接着を防ぐように意図されるかに応じて、フォーム層またはシリコン層のいずれかを備える。
【００３２】
次に、機能ユニット4の動作および構造をより容易に理解できるようにするために、本発明によるアルバムの製作において必要な種々のステップを説明する。
【００３３】
図10aから図10dは、アルバムを構成する全てのシートが機能ユニット内に送られる種々のステップと、前記シートが機能ユニット4内に搬送される第1の局面とを図示する。
【００３４】
プリンタ3によって出力されたシート50が、機能ユニットの2つの入力ローラ10および11の付近の適切な反らせ板(図示せず)によって案内される。また、この区域内へのシート50の挿入が、センサ12によって検出されるが、このセンサ12は、モータ31を作動させその結果第1のモータ群に属するローラの回転を開始させる光電池から構成される。
【００３５】
検出されたシートは、2つのローラ(10および11)によって引き込まれ、それにより、シートは下方へと、機能ユニット4の後方区域内に移動される。シート全体が、2つのローラ10および11によって引き込まれると、センサ12により、モータ31の回転方向の反転が生じて、前記シート50の上昇運動が引き起こされる。このシートは、反らせ板51と協働し、この反らせ板51が、2つの対の平伸ばしローラ14,15および16,17のそれぞれの方向にシートを配向し、これら2つの対の平伸ばしローラが、機能ユニットの内部にシートを搬送する。前記シート50は、別のセンサ21によって検出され(図10c)、このセンサ21は、それが、ステッパモータ31のステップ数を計数することにより、前記シートの前端部を正確に判定し、その結果シートの正確な位置を正確に判定するという限りにおいて、所要の全精度でのシートの連続加工を保証することが可能なフォークセンサから構成される。シートが適切な位置にある場合には、このセンサ21が折り目付けユニット18を作動させ、この折り目付けユニット18は、シートの性質に応じて、単一の折り目(中間シート)付けまたは4つの折り目(カバーシート)付けを開始させる。
【００３６】
この折り目付けユニットを、図5に関連してさらに説明する。このユニットは、ダイ60、およびダイ60と協働するように設計されたパンチ61を備え、前記パンチは、アーム62の端部の上に取り付けられ、このアーム62は、機能ユニット4のハウジングに63にて回動可能に連結され、前記ハウジングに装着されたばね64によって非動作位置に保持される。既知の様式にて、このパンチは、パンチとスリットとの間を進むシートの折り目付けを確実にするように、ダイ60中に形成されたスリット66と協働することが可能である突出直線区域65を備える。
【００３７】
有利には、前記ダイ60は、可動圧力パッドを有する。これを実現するためには、前記ダイ60は、スリット66を塞ぐエジェクタを備え、前記エジェクタは、パンチの区域65とダイのスリット66との間の協働によりシートに付けられた折り目部分の追出しを引き起こさせる2つのばねプランジャ67によって、上方に押し戻され、そのようにして、シートが再度移動を始めたときに、シートが前記スリットのリップに引っ掛かるのを防ぐ。
【００３８】
パンチ61は、モータ40のモータシャフトに直接結合されたカム41によって、ダイ60と協働するように作動される。折り目付け動作の間は、シートを搬送するローラが停止されるため、シートが静止状態にあることは明らかである。折り目付け動作後には、シートの搬送が引き続き行われる。
【００３９】
カバーシートの特殊加工が、図11aから図11dに関連して説明されている。これは、加工されるアルバムの第1のシート、すなわち当該のアルバムを製作するためにプリンタによって出力される第1のシートである。折り目付けステップ後に、前記カバーシート52は、いわゆるカバーアーム53の上に受けられるが、このカバーアーム53は、特に図11aにおいて明らかなように、前記シートの曲げを促進するために、実質的に湾曲したまたはアーチ状の形状を有する。
【００４０】
このカバーアーム53は、図7aおよび図7bにおいてさらに詳細に図示される。カバーアーム53の端部の一方が、機能ユニット4のハウジング上に54にて回動可能に連結され、カバーアーム53は、2つの動作位置のそれぞれ、すなわち、
・アルバムが上に配置され形作られる送りボード55への妨げのないアクセスが可能となる、図7aに図示される下方位置、および
・第1に、前記カバーのフラップを配置することが可能となるように、第2に、中間シートが配置され2つごとに貼り合わされた後に、中間シートから構成されるスタックの上に前記フラップを効果的に配置するように意図された上方位置、に位置することが可能になるように、カム56により作動される。
【００４１】
これを実現するために、アーム53の自由端部が、アイドラローラ57を有し、このアイドラローラ57は、カバーのフラップおよびプッシュローラ37を引き上げ、それによりフラップを上げるのに必要な隙間を開放するように、第3の対のドロップローラ29および30と協働することが可能となるように配置される。
【００４２】
したがって、図11aにおいては、カバーアーム53は、上方位置にある。これにより、カバーシート52の第1のパートまたは上流パートが、前記アームの上に受けられ、アーム53の湾曲に対して実質的に平行に曲がる。カバーシート52のこの上流パートがアーム53の上に収容された後に、アーム53は、カム56の作動により下方位置(図11b)に下降し、送りボード55が、シート配置および受容位置へと並進移動される。その結果、これにより、後方押さえロール28と前記ボード55との間に協働が生じ、さらにカバーシート52の下流区域が引っ張られ、さらに前記ボードに対してカバーシート52が平らに伸ばされる。図11cでは、前記後方押さえロール28によりボード55に対してカバーシート52の下流区域が平らに伸ばされるのが示される。
【００４３】
この平伸ばしの後に、ボード55は、他の中間シートを受けるための位置にボード55を移動させるために、他方の方向に並進移動される(図11d)。
【００４４】
中間シート、すなわちカバーシート以外のシートの加工が、図12aから図12fに関連して説明されている。既に説明された折り目付けステップの後に、中間シートは、まずモータ31の回転方向を反転させることにより引き戻され、さらに、特に糊付け局面の開始を確実にするために、2つの対のローラ14,15および16,17のそれぞれにより引き込まれる(図12a)。
【００４５】
本発明によれば、各中間シートの裏面すなわち裏ページの半分のみが、糊付けされ、それとは別に最後の中間シートは、裏ページ全体にわたって糊付けされ、それにより、後のカバーの背の貼り合わせが可能になる。特に、当該の各シートの裏ページの上流区域の半分のみが、実際に糊付けされる。
【００４６】
これを実現するために、接着剤塗布ユニットが作動される(図12b)。接着剤塗布ユニットの動作原理をより容易に理解できるように、接着剤塗布ユニットは、図6a、図6bおよび図6cに関連して以下で説明される。
【００４７】
基本的には、本発明による糊付けは、例えば3M社またはTESA社などから市販されているものなどの転移接着剤フィルムでシートの専用区域を被覆することを伴う。この転移接着剤フィルムは、例えば、アクリルベースまたはビニルベースのもの、あるいは他の物質をベースとするものなどである。しかし、印画紙の耐久性のある接合を実現するためには、アクリルが最適な材料である。
【００４８】
この接着剤フィルムは、例えばシリコンで被覆された紙から構成される非接着性裏材の上に供給され、この組み合わされたもの自体が、回転可能に取り付けられ若干制動されたスプール34の上に供給される。この組み合わされたものは、システムの消耗材の1つである。このスプールは、機能ユニット4のハウジング中に形成された、特別に設けられた凹部内に収容される。
【００４９】
接着剤フィルムを伴わない、すなわち糊付け作業後のシリコン被覆された裏材は、特別に設けられた凹部内にやはり収容されるスプール35の上に供給される。このスプールは、歯の付いたピニオンによりスプール35と直接噛み合うDCモータによって回転駆動され、それにより、シリコン裏材がこのスプール自体の上に巻き戻されることが可能となるようにする。また、使用後には、シリコン裏材をシステムから巻き出すことが可能である。
【００５０】
実際に、および特に図1において明らかなように、これら2つのスプール34および35は、メンテナンス作業を容易にするために、ドア2が開かれ、糊付けアーム71,74,75が図6cにしたがって解放され引き上げられると、容易にアクセス可能となる。
【００５１】
接着剤フィルム36が備わった裏材が、接着剤モータローラと呼ばれるモータローラ22により引き込まれる。このローラは、2方向に回転可能な専用電気モータ70によりモータ駆動される。先述のように接着剤フィルム36が備わった前記裏材をスプール34から巻き戻すようになされたローラ22は、機能ユニット4のハウジング上に72にて連結されたレバー71のほぼ端部に取り付けられた、糊付けローラ24と協働するが、前記レバーは、ばね73により動作位置に保持され、このばね73の取付け箇所の1つは、やはりハウジングから構成される(図6aおよび図6bを参照)。
【００５２】
また、図1においても確認することが可能であり、横材74によって前記レバー71に連結されるハンドル75によって、前記レバー71を動作位置から部分的に引き戻すことが可能である。レバー71、ハンドル75および横材74を含むアセンブリが、上述の糊付けアームを形成する。
【００５３】
メンテナンス工員が、糊付け消耗材、特にスプール34および35を交換することを欲する場合には、この工員は、ハンドル75に対して上方に圧力をかけ、次いでこのハンドル75を引き、それによりレバー71をそのヒンジピン73の周囲で回転させ(開位置にある接着剤塗布ユニットを図示する図6cを参照)、次いでこれにより、接着剤フィルムの裏材を外すことが可能となり、その結果そのまま全体として構成要素34および35を取り外すことが可能となる。
【００５４】
ヒンジピン73の対向側のレバー71の端部の上に取り付けられた前記糊付けローラ24は、モータ糊付けローラ22と噛み合うことが可能である。したがって、これを実現するために、前記糊付けローラ24には、ローラ22が備える歯車と協働する歯車が備えられる。これらの種々の構成要素は、図面が不必要に複雑になるのを防ぐために、図示されない。
【００５５】
糊付けローラ24は、レバー71の上にフリーホイールとして取り付けられる。換言すれば、糊付けローラ24は、1方向のみに回転することが可能であり、逆の回転方向へは阻止されている。この前提により、および糊付けローラ24が阻止されていることにより、糊付けローラ24は、モータ糊付けローラ22の回転中心に対する回転を受け、したがって、モータ糊付けローラ22の周囲での回転を受ける。これは、糊付けローラ24が、前記モータ糊付けローラ22と噛み合うことによる。この回転は、糊付けローラ24がレバー71の端部に固定されるにもかかわらず、前記端部の近傍に形成されたスロット76が存在することによって可能となり、このスロット76により、レバー71は、ハンドル75によってロックされているにもかかわらず、旋回することが可能となる。これは、スタンバイ位置にある接着剤塗布ユニットを図示する図6bに示され、図6aには、接着剤実塗布位置にある同ユニットが図示される。モータ70が接着剤塗布方向に再び回転し始めると、ばね77が作用して横材74を押圧し、さらに横材74がレバー71を前方に押すことによって、糊付け位置への復帰がまた生じる。
【００５６】
最後になるが、接着剤塗布ユニットは、ローラ23を備え、このローラ23は、糊付けリミット停止装置としての役割を果たし、すなわち糊付けローラ24の正作動に応答して、当該のシート上への実際の糊付けの際に逆圧機能を果たす。
【００５７】
したがって、図12bにおいては、糊付けローラ24が、上げられて、糊付けリミット停止ローラ23と協働し、糊付けローラ24と糊付けリミット停止ローラ23との間で当該のシートの区域が移動する。これにより、糊付けローラ24は、当該の区域の上に接着剤フィルムを効果的に転移する。
【００５８】
この上流区域が完全に糊付けされると、前記シートの上流自由端部が、送りボード55に備えられたリミット停止装置80を押圧する。
【００５９】
接着剤塗布ユニットの専用モータ70が、逆回転され、それにより、糊付けローラ24がフリーホイールとして取り付けられているために、接着剤モータローラ22の周囲での糊付けローラ24の回転が引き起こされ、その結果、糊付けローラ24の後退が生じる(図12c)。これは、この糊付けローラ24もまた、逆方向に回転することが不可能であるためである。このため、当該のシートの搬送およびこのローラの後退の組合せにより、接着剤フィルムのきれいな切断が行われ、それにより、不慮による接着剤の付着およびそれによりもたらされ得る不利な結果が回避される。
【００６０】
その結果、図12b、図12cおよび図12dに図示されるように、送りボード55が、機能ユニット4の前部の方向に移動し、当該のシート、特にそれまで糊付けされているこのシートの上流区域が、前方押さえロール32の作用を受け、この前方押さえロール32により、この上流区域は、カバーシートの第1のパートの上に平らに伸ばされるのみではなく、カバーシートの第1のパートの上に実際に貼り合わされる。
【００６１】
次いで、送りボード55の移動方向が、再び逆転され、送りボード55は、機能ユニットの後部の方向に移動して戻り、それにより、先に付けられた折り目に加えてこのシートの下流区域が継続して移動し続けるため、前記シートが折りたたまれ、折り目が、図12eにおいて分かるように、後方押さえロール28によって引き込まれる。
【００６２】
前記シートの下流区域は糊付けされていないことを思い出されたい。送りボード55は、シートがその搬送を保証する機能部から放されるまで、後退される。次いで、送りボード55の移動が再び逆方向になり、送りボード55は、連続的に同一経路を経る後続シート(または複数の後続シート)(図12f)を受けるための位置へと戻される。
【００６３】
カバーの背のフラップが、図13aから図13eに図示される。前記フラップは、カバーアーム53内に一時的に収容されることを思い出されたい(図11aから図11dを参照)。したがって、図12aから図12fにしたがって逐次配置され糊付けされた全ての中間シートを含むスタックを作成した後に、送りボード55は、機能ユニット4の前部の方向に並進移動されて、それにより、前記カバーアーム53の回転を解放することが可能となり、特に前記カバーアーム53を上方位置に配置することが可能となる(図13b)。
【００６４】
こうする理由は、前記カバーアームの自由端部の上にアイドラローラ57が存在し、このアイドラローラ57が、ローラ29と協働して、カバーの背を、シート搬送を保証する種々のローラの上に進ませるからである(図13bには開始時が、図13cには終了時が示される)。
【００６５】
前記カバーの背の全体が返されると、カバーアーム53は再び下降し、これにより、機能ユニットの後部の方向に送りボード55を再び並進移動させることが可能となる。前記フラップは、一方ではローラ29により、他方ではローラ37により引き込まれるため、カバーの背は、ある程度引っ張られ、続いてこれにより、スタックの上に正確なフラップを得た後に前記送りボード55の後方移動が可能となり、次いでこのフラップは、後方押さえロール28によって引き込まれる(図13e)。
【００６６】
このカバーの背のフラップの場合においては、前の中間シートの裏ページが、他の中間シートとは異なりその全体が糊付けされ、それによりその上に前記カバーの背を効果的に貼り合わせることが可能となることを思い出されたい。
【００６７】
したがって、アルバムはこのようにして組み立てられる。
【００６８】
アルバムの仕上げを、図14aから図14eに関連してより詳細に説明する。本発明の一態様によれば、この仕上げは、送りボード55のリミット停止装置80に対して押圧される個々のシートが正確に配置されるにもかかわらず、整った外観のアルバムにするために前記アルバムを切り揃えることを基本的に目的としている。さらに、カバーシートおよび中間シートのフォーマットが同一であることにより、ならびに前記カバーシートがアルバムの厚さ部分もその対象に含むため、前記カバーシートの自由端部と中間シートの自由端部との間の不整合が必ず生じ、したがって、アルバムの自由端部のきれいな切断を確実にするためのこのようなトリミングの必要性が必ず生じる。
【００６９】
これを実現するために、図14aおよび図14bに図示されるように、送りボード55は、機能ユニット4の前部の方向に移動し、次いでこのアルバムは、トリマ押さえロール33により引き込まれる。このレベルでのボードの移動により、図9aおよび図9bにおいて明らかなように、リミット停止装置80の引き戻しが生じる。
【００７０】
実際には、前記歯またはこの歯の上のリミット停止装置80は、アーム81の端部に取り付けられ、アーム81自体は、前記ボード55の下に82にて回動可能に連結されることは、明らかである。このアーム81は、2つの下方対面カムまたは突起部、すなわち前方カム83および後方カム84をそれぞれ備え、前方カム83および後方カム84はそれぞれ、ボード55に関連付けされたカム経路85と協働するように設計され、カム経路85に対して自由に並進方向に移動することが可能である。
【００７１】
全ての先行局面の際に、カム83は、カム経路85の上方平坦区域と協働し、それにより、リミット停止装置80は、動作モードに配置される。これとは対照的に(図9b)、送りボード55が前方位置に移動すると、すなわちトリミング局面の際には、カム84が、カム経路85と協働し、それにより、実質的に中間のヒンジピン82によって歯またはリミット停止装置80が引き戻される。
【００７２】
その結果、送りボード55のこの区域においては、参照符号86によって表され、カム(図示せず)によって作動されるバックストップが、下方に移動する。
【００７３】
送りボード55の移動方向が、再び逆転され、それにより、バックストップ86が、このように製作されたアルバムの綴じ部または背と協働し、その結果、機能ユニット4の前方区域の方向(図14bにおける直線方向)への前記ボードからのアルバムの位置ずれが生じる。換言すれば、リミット停止装置80の引き戻りおよび、機能ユニットの後部方向へのボード55の並進移動により、アルバムは、前記ボードの上を摺動し、その上流端部に対して突出する。
【００７４】
次いで、送りボード55の移動方向が、トリマ38が作動される区域に達するまで、機能ユニットの方向へと再び逆転される。典型的には、トリマ38は、切断長さにわたって約400daNの圧力を加えることが可能なリデューサカム(reducer cam)によって作動されるギロチンブレードから構成される。したがって、アルバムがトリマ押さえロール33によってトリマ38の動作の最中に固定され、送りボード55が静止したままの状態において、このギロチンブレードにより、製作されたアルバムの自由端部が必ずきれいに切断されるようになる。
【００７５】
トリマのギロチンブレードを上げた後に、送りボード55は引き戻るが、バックストップ86が存在することにより、次いでアルバムは、摺動してボードから離れ、放出されて、機能ユニット4の最下部にある傾斜路42の上に受けられて、前記アルバムは、重力のみにより受容部5の方向に搬送されることが可能となる。
【００７６】
図8は、大まかな下層の動作原理を示し、特に、本発明による送りボード55の移動を示す。既に述べたように、このボードは、変形可能な平行四辺形配列の旋回アーム91の上に取り付けられたスライドまたはレール90の上に取り付けられる。これらのレールは、ばね92によって上方位置に保持され、ばね92の取付け箇所の一方は、機能ユニット4のハウジングに装着され、それにより、ボード55と、種々の押さえロール、特に前方ロール28および後方ロール32との間の協働によって、堆積された最後のシートの上に圧力が常時かけられ、堆積された最後のシートが同一の高さに保たれ、この高さは、ロール28および32の最下部により決定される。
【００７７】
このボードは、歯付きベルト93に連結され、この歯付きベルト93は、専用電気モータ94によって2方向に並進的に作動される。
【００７８】
カバーの特殊加工により、上述の先行技術によるデバイスと比較した場合に、ボードの長さを大幅に短くすることが可能である。これは、コンパクトさおよび全体的な寸法に関して利点を有する。
【００７９】
本発明によるシステムにより、20シートすなわち40ページまでの様々な厚さのフォトアルバムを製作することが可能となる。
【００８０】
有利には、システム全体は、特に個々のモータを作動させセンサにより伝送された信号を処理するようになされた、プログラマブル論理制御装置またはPCまたは論理回路によって、制御される。
【００８１】
したがって、製作されたアルバムのトリミングおよび排出が共に、オペレータによるいかなる介入も要さないため、このシステムは完全に自動化される。
【符号の説明】
【００８２】
1  ハウジング
2  ドア
3  感熱式プリンタ
4  機能ユニット
5  受容部
6  アクセス部
7  出力部
10,11  入力ローラ
12  センサ
14,15,16,17  平伸ばしローラ
18  折り目付けユニット
19,20  ローラ
21  センサ
22  ローラ、接着剤モータローラ、モータ糊付けローラ
23  ローラ、糊付けリミット停止ローラ、糊付け接触ローラ
24  ローラ、糊付けローラ
25,26,27  ローラ
28  後方押さえロール
29,30  ドロップローラ
31  電気モータ、ステッパモータ
32  前方押さえロール
33  トリマ押さえロール
34,35  スプール、保管スプール
36  接着剤フィルム
37  プッシュローラ
38  トリマ
39  歯付きベルト
40  モータ
41  カム
42  傾斜路
50  シート
51  反らせ板
52  カバーシート
53  カバーアーム
54  カバーアームの端部の一方が機能ユニットのハウジングに回動可能に連結される箇所、ヒンジピン
55  送りボード
56  カム、モータカム
57  アイドラローラ
60  ダイ
61  パンチ
62  アーム
63  アームが機能ユニットのハウジングに回動可能に連結される箇所
64  ばね
65  突出直線区域
66  スリット
67  ばねプランジャ
70  専用電気モータ
71  レバー
72  レバーが機能ユニットのハウジングに回動可能に連結される箇所
73  ばね、ヒンジピン
74  横材
75  ハンドル
76  スロット
77  ばね
80  リミット停止装置、位置合わせ機能部
81  アーム
82  ヒンジピン
83  前方カム
84  後方カム
85  カム経路
86  バックストップ
90  スライドまたはレール、横材
91  旋回アーム
92  ばね、弾性復帰機構
93  歯付きベルト
94  専用電気モータ
【図１】
2010012780.tif 000003
【図２】
2010012780.tif 000004
【図３】
2010012780.tif 000005
【図４】
2010012780.tif 000006
【図５】
2010012780.tif 000007
【図６ａ】
2010012780.tif 000008
【図６ｂ】
2010012780.tif 000009
【図６ｃ】
2010012780.tif 000010
【図７ａ】
2010012780.tif 000011
【図７ｂ】
2010012780.tif 000012
【図８】
2010012780.tif 000013
【図９ａ】
2010012780.tif 000014
【図９ｂ】
2010012780.tif 000015
【図１０ａ】
2010012780.tif 000016
【図１０ｂ】
2010012780.tif 000017
【図１０ｃ】
2010012780.tif 000018
【図１０ｄ】
2010012780.tif 000019
【図１１ａ】
2010012780.tif 000020
【図１１ｂ】
2010012780.tif 000021
【図１１ｃ】
2010012780.tif 000022
【図１１ｄ】
2010012780.tif 000023
【図１２ａ】
2010012780.tif 000024
【図１２ｂ】
2010012780.tif 000025
【図１２ｃ】
2010012780.tif 000026
【図１２ｄ】
2010012780.tif 000027
【図１２ｅ】
2010012780.tif 000028
【図１２ｆ】
2010012780.tif 000029
【図１３ａ】
2010012780.tif 000030
【図１３ｂ】
2010012780.tif 000031
【図１３ｃ】
2010012780.tif 000032
【図１３ｄ】
2010012780.tif 000033
【図１３ｅ】
2010012780.tif 000034
【図１４ａ】
2010012780.tif 000035
【図１４ｂ】
2010012780.tif 000036
【図１４ｃ】
2010012780.tif 000037
【図１４ｄ】
2010012780.tif 000038
【図１４ｅ】
2010012780.tif 000039
【外国語明細書】
2010012780.tif 000040
2010012780.tif 000041
2010012780.tif 000042
2010012780.tif 000043
2010012780.tif 000044
2010012780.tif 000045
2010012780.tif 000046
2010012780.tif 000047
2010012780.tif 000048
2010012780.tif 000049
2010012780.tif 000050
2010012780.tif 000051
2010012780.tif 000052
2010012780.tif 000053
2010012780.tif 000054
2010012780.tif 000055
2010012780.tif 000056
2010012780.tif 000057
2010012780.tif 000058
2010012780.tif 000059
2010012780.tif 000060
2010012780.tif 000061
2010012780.tif 000062
2010012780.tif 000063
2010012780.tif 000064
2010012780.tif 000065
2010012780.tif 000066
2010012780.tif 000067
2010012780.tif 000068
2010012780.tif 000069
2010012780.tif 000070